【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アクセスポイントによって、１つまたは複数のワイヤレスデバイスからの互換性のある送信の１つまたは複数のクラスを決定することと、
前記アクセスポイントによって、前記１つまたは複数のクラスの各々について、スケジュールされたタイムスロットを定義することと、
前記アクセスポイントによって、前記スケジュールされたタイムスロットの各々に関連づけられたチャネルアクセスプロシージャを定義することと、
互換性のある送信の前記１つまたは複数のクラスの各々についての前記スケジュールされたタイムスロットを、別のアクセスポイントと同期させることと、
前記アクセスポイントによって、前記チャネルアクセスプロシージャにしたがって、関連づけられたスケジュールされたタイムスロットの間にワイヤレス媒体にアクセスすることと、
を備える方法。
【請求項２】
前記クラスは、ダウンリンク送信またはアップリンク送信のうちの１つまたは複数を備える、請求項１に記載の方法。
【請求項３】
前記クラスのうちの１つは、同時並行して正しく受信されることができる送信を備える、請求項１に記載の方法。
【請求項４】
前記１つまたは複数のクラスを決定することが、前記１つまたは複数のワイヤレスデバイスのうちの１つまたは複数からの受信情報であって、前記情報はワイヤレスデバイス干渉のレベルもしくはネットワークトポロジーのうちの１つまたは複数に関係する情報、ビーコンにおけるクラス定義のブロードキャスト、およびアソシエーション応答フレームのうちの１つまたは複数に基づく、請求項１に記載の方法。
【請求項５】
前記ワイヤレス媒体が１つまたは複数のチャネルを備え、前記方法は、同じチャネル上で前記１つまたは複数のクラスの前記互換性のある送信の送信をスケジュールすることをさらに備える、請求項１に記載の方法。
【請求項６】
前記スケジュールされたタイムスロットを定義することは、周期的パターンでインデックスを付けられた時間の間隔を定義することを備える、請求項１に記載の方法。
【請求項７】
前記チャネルアクセスプロシージャを定義することは、前記関連づけられたスケジュールされたタイムスロットの間に同時並行の送信を許可すべきかまたは制限すべきかを決定することを備える、請求項１に記載の方法。
【請求項８】
同時並行の送信を許可すべきかまたは制限すべきかの前記決定は、前記１つまたは複数のワイヤレスデバイスのうちの１つまたは複数のロケーションに基づく、請求項７に記載の方法。
【請求項９】
前記１つまたは複数のワイヤレスデバイスのうちの前記１つまたは複数が基本サービスエリアのエッジまたはその近くに位置する場合、前記関連づけられたスケジュールされたタイムスロットの間の同時並行の送信を制限すると決定することと、
前記１つまたは複数のワイヤレスデバイスのうちの前記１つまたは複数が基本サービスエリアの中心またはその近くに位置する場合、前記関連づけられたスケジュールされたタイムスロットの間の同時並行の送信を許可すると決定することと、
をさらに備える、請求項８に記載の方法。
【請求項１０】
前記ワイヤレス媒体にアクセスすることが、前記関連づけられたスケジュールされたタイムスロットの間にクリアチャネルアセスメントプロシージャを実施することを備え、前記方法は、前記クリアチャネルアセスメントの結果に基づいて、送信のための少なくとも１つのメッセージを選択的にスケジュールするか、またはスケジュールすることを差し控えることをさらに備える、請求項１に記載の方法。
【請求項１１】
前記クリアチャネルアセスメントプロシージャの実施が、前記関連づけられたスケジュールされたタイムスロットの始まりにおいて開始し、前記方法が、前記スケジュールされたタイムスロットに特有のバックオフ値にしたがってバックオフプロシージャを実施することをさらに備え、前記バックオフ値は、前記関連づけられたスケジュールされたタイムスロットの前記始まりにおいて第１の値に初期化され、前記バックオフ値は、関連づけられたチャネルがアイドルであると評価される間、デクリメントされる、請求項１０に記載の方法。
【請求項１２】
前記第１の値は、ランダムであるか、または、前記スケジュールされたタイムスロットに関連づけられたクラスのファンクション、もしくは前記関連づけられたクラスに割り当てられた以前のスケジュールされたタイムスロットに関連づけられた以前のバックオフ値の残分の値のうちの１つまたは複数に基づく、請求項１１に記載の方法。
【請求項１３】
前記ワイヤレス媒体にアクセスすることが、
前記関連づけられたスケジュールされたタイムスロットの第１のフレームにおいてクリアチャネルアセスメントプロシージャを実施することと、
前記関連づけられたスケジュールされたタイムスロットの第２のフレームにおいて送信準備完了フレームを送信することと、
前記関連づけられたスケジュールされたタイムスロットの第３のフレームにおいて送信可フレームを受信することと、
前記クリアチャネルアセスメント、前記送信準備完了フレーム、および前記送信可フレームのうちの１つまたは複数の結果に基づいて、送信のために少なくとも１つのメッセージを選択的にスケジュールするか、またはスケジュールすることを差し控えることと、
を備える、請求項１に記載の方法。
【請求項１４】
前記ワイヤレス媒体にアクセスすることが、前記関連づけられたスケジュールされたタイムスロットの間に送信準備完了フレームまたは送信可フレームを受信することを備え、該方法は、前記受信に基づいて、少なくとも１つの送信をスケジュールするか、またはスケジュールすることを差し控えることをさらに備える、請求項１に記載の方法。
【請求項１５】
前記スケジュールされたタイムスロットの各々の間に、前記スケジュールされたタイムスロットに関連づけられたクラスに関連づけられているメッセージだけの送信を開始することと、
前記スケジュールされたタイムスロットの間に前記スケジュールされたタイムスロットに関連づけられていないクラスに関連づけられているメッセージの送信を開始することを差し控えることと、
をさらに備える、請求項１に記載の方法。
【請求項１６】
前記スケジュールされたタイムスロットの各々が、１つのポイント協調機能インターフレームスペースに等しい長さを備える、請求項１に記載の方法。
【請求項１７】
複数のバックオフ期間を定義することをさらに備え、各バックオフ期間は、互換性のある送信の前記クラスのうちの少なくとも１つに関連づけられ、ここで、前記チャネルアクセスプロシージャを定義することは、前記バックオフ期間のうちの１つまたは複数の比較に基づいて互換性のある送信の優先クラスを決定することを備え、前記ワイヤレス媒体にアクセスすることは、前記比較に基づいて前記優先クラスに関連づけられているメッセージの送信を開始するまたは再開することを備える、請求項１に記載の方法。
【請求項１８】
前記スケジュールされたタイムスロットの１つまたは複数の間に予約済みアクセスウィンドウを定義することと、ここで、前記予約済みアクセスウィンドウは、互換性のある送信の前記クラスのうちの少なくとも１つに関連づけられる、
前記予約済みアクセスウィンドウの間に、前記予約済みアクセスウィンドウに関連づけられたクラスに関連づけられているメッセージだけの送信を開始すること、または、前記予約済みアクセスウィンドウに関連づけられた前記クラスに関連づけられていないメッセージの送信を開始することを差し控えることと、
をさらに備える、請求項１に記載の方法。
【請求項１９】
前記予約済みアクセスウィンドウについてのインジケータを送信することと、ここで、前記送信することは、前記インジケータが使用インジケータである場合、１つまたは複数のメッセージを送信する前に行われ、前記送信することは、前記インジケータが不使用インジケータである場合、１つまたは複数のメッセージを送信した後に行われる、
前記インジケータ、および、前記１つまたは複数のメッセージが前記予約済みアクセスウィンドウに関連づけられたクラスに関連するかどうかに基づいて、１つまたは複数のメッセージを送信するか、または送信することを差し控えることと、
をさらに備える、請求項１８に記載の方法。
【請求項２０】
各々が別個の送信クラスに関連づけられた、複数のスタガリングされた予約済みアクセスウィンドウを定義することをさらに備える、請求項１に記載の方法。
【請求項２１】
前記クラスのうちの１つに関連づけられた予め定められた目標待ち時間まで待機することと、
前記予め定められた目標待ち時間の後に前記ワイヤレス媒体のアイドル状態を決定することと、
前記アイドル状態に基づいて前記クラスに関連づけられたメッセージの送信をスケジュールすることと、
をさらに備える、請求項１に記載の方法。
【請求項２２】
ワイヤレス通信のために構成されたデバイスアクセスポイントであって、
１つまたは複数のワイヤレスデバイスからの互換性のある送信の１つまたは複数のクラスを決定することと、
前記１つまたは複数のクラスの各々について、スケジュールされたタイムスロットを定義することと、
前記スケジュールされたタイムスロットの各々に関連づけられたチャネルアクセスプロシージャを定義することと、
互換性のある送信の前記１つまたは複数のクラスの各々についての前記スケジュールされたタイムスロットを、別のアクセスポイントと同期させることと、
前記チャネルアクセスプロシージャにしたがって、関連づけられたスケジュールされたタイムスロットの間にワイヤレス媒体にアクセスすることと、
を行うように構成されたプロセッサを備える、デバイスアクセスポイント。
【請求項２３】
前記クラスは、ダウンリンク送信のうちの１つまたは複数を備える、請求項２２に記載のデバイス。 
【請求項２４】
前記クラスのうちの１つは、同時並行して正しく受信されることができる送信を備える、請求項２２に記載のデバイス。
【請求項２５】
前記プロセッサは、前記１つまたは複数のワイヤレスデバイスのうちの１つまたは複数からの受信情報であって、前記情報はワイヤレスデバイス干渉のレベルもしくはネットワークトポロジーのうちの１つまたは複数に関係する情報、ビーコンにおけるクラス定義のブロードキャスト、およびアソシエーション応答フレームのうちの１つまたは複数に基づいて、前記１つまたは複数のクラスを決定する、請求項２２に記載のデバイス。
【請求項２６】
前記ワイヤレス媒体が１つまたは複数のチャネルを備え、前記プロセッサは、同じチャネル上で前記１つまたは複数のクラスの前記互換性のある送信の送信をスケジュールするようにさらに構成される、請求項２２に記載のデバイス。
【請求項２７】
前記プロセッサは、周期的なパターンでインデックスを付けられた時間の間隔を定義するようにさらに構成されていることに基づいて、前記スケジュールされたタイムスロットを定義する、請求項２２に記載のデバイス。
【請求項２８】
前記プロセッサは、前記関連づけられたスケジュールされたタイムスロットの間の同時並行の送信を許可すべきかまたは制限すべきかを決定するようにさらに構成されていることに基づいて、前記チャネルアクセスプロシージャを定義する、請求項２２に記載のデバイス。
【請求項２９】
前記プロセッサは、前記１つまたは複数のワイヤレスデバイスのうちの１つまたは複数のロケーションに基づいた同時並行の送信を許可すべきかまたは制限すべきかを決定する、請求項２８に記載のデバイス。
【請求項３０】
前記プロセッサは、
前記１つまたは複数のワイヤレスデバイスのうちの前記１つまたは複数が基本サービスエリアのエッジまたはその近くに位置する場合、前記関連づけられたスケジュールされたタイムスロットの間の同時並行の送信を制限すると決定することと、
前記１つまたは複数のワイヤレスデバイスのうちの前記１つまたは複数が基本サービスエリアの中心またはその近くに位置する場合、前記関連づけられたスケジュールされたタイムスロットの間の同時並行の送信を許可すると決定することと、
を行うようにさらに構成された、請求項２９に記載のデバイス。
【請求項３１】
前記プロセッサは、
前記関連づけられたスケジュールされたタイムスロットの間にクリアチャネルアセスメントプロシージャを実施することに基づいて前記ワイヤレス媒体にアクセスすることと、
前記クリアチャネルアセスメントの結果に基づいて、送信のために少なくとも１つのメッセージを選択的にスケジュールするか、またはスケジュールすることを差し控えることと、
を行うようにさらに構成された、請求項２２に記載のデバイス。
【請求項３２】
前記プロセッサは、
前記関連づけられたスケジュールされたタイムスロットの始まりにおいて前記クリアチャネルアセスメントの前記実施を開始することと、
前記スケジュールされたタイムスロットに特有のバックオフ値にしたがってバックオフプロシージャを実施することと、ここで、前記バックオフ値は、前記関連づけられたスケジュールされたタイムスロットの前記始まりにおいて第１の値に初期化され、前記バックオフ値は、関連づけられたチャネルがアイドルであると評価される間、デクリメントされる、
を行うようにさらに構成される、請求項３１に記載のデバイス。
【請求項３３】
前記第１の値は、ランダムであるか、または、前記スケジュールされたタイムスロットに関連づけられたクラスのファンクション、もしくは前記関連づけられたクラスに割り当てられた以前のスケジュールされたタイムスロット以前のバックオフ値の残分の値のうちの１つまたは複数に基づく、請求項３２に記載のデバイス。
【請求項３４】
前記プロセッサは、
前記関連づけられたスケジュールされたタイムスロットの第１のフレームにおいてクリアチャネルアセスメントプロシージャを実施することと、
前記関連づけられたスケジュールされたタイムスロットの第２のフレームにおいて送信準備完了フレームを送信することと、
前記関連づけられたスケジュールされたタイムスロットの第３のフレームにおいて送信可フレームを受信することと、
前記クリアチャネルアセスメント、前記送信準備完了フレーム、および前記送信可フレームのうちの１つまたは複数の結果に基づいて、送信のために少なくとも１つのメッセージを選択的にスケジュールするか、またはスケジュールすることを差し控えることと、
を行うようにさらに構成されていることに基づいて前記ワイヤレス媒体にアクセスする、
請求項２２に記載のデバイス。
【請求項３５】
前記プロセッサは、
前記関連づけられたスケジュールされたタイムスロットの間に送信準備完了フレームまたは送信可フレームを受信することと、
前記受信に基づいて、少なくとも１つの送信をスケジュールするか、またはスケジュールすることを差し控えることと、
を行うようにさらに構成されていることに基づいて前記ワイヤレス媒体にアクセスする、
請求項２２に記載のデバイス。
【請求項３６】
前記プロセッサは、
前記スケジュールされたタイムスロットの各々の間に、前記スケジュールされたタイムスロットに関連づけられたクラスに関連づけられているメッセージだけの送信を開始することと、
前記スケジュールされたタイムスロットの間に前記スケジュールされたタイムスロットに関連づけられていないクラスに関連づけられているメッセージの送信を開始することを差し控えることと、
を行うようにさらに構成される、請求項２２に記載のデバイス。
【請求項３７】
前記スケジュールされたタイムスロットの各々が、１つのポイント協調機能インターフレームスペースに等しい長さを備える、請求項２２に記載のデバイス。
【請求項３８】
前記プロセッサは、複数のバックオフ期間を定義するようにさらに構成され、各バックオフ期間は、互換性のある送信の前記クラスのうちの少なくとも１つに関連づけられ、前記プロセッサは、前記バックオフ期間のうちの１つまたは複数の比較に基づいて互換性のある送信の優先クラスを決定するようにさらに構成されていることに基づいて前記チャネルアクセスプロシージャを定義し、前記プロセッサは、前記比較に基づいて前記優先クラスに関連づけられているメッセージの送信を開始するまたは再開するようにさらに構成されていることに基づいて前記ワイヤレス媒体にアクセスする、請求項２２に記載のデバイス。
【請求項３９】
前記プロセッサは、
前記スケジュールされたタイムスロットのうちの１つまたは複数の間に予約済みアクセスウィンドウを定義することと、ここで、前記予約済みアクセスウィンドウは、互換性のある送信の前記クラスのうちの少なくとも１つに関連づけられる、
前記予約済みアクセスウィンドウの間に、前記予約済みアクセスウィンドウに関連づけられたクラスに関連づけられているメッセージだけの送信を開始する、あるいは、前記予約済みアクセスウィンドウに関連づけられた前記クラスに関連づけられていないメッセージの送信を開始することを差し控えることと、
を行うようにさらに構成された、請求項２２に記載のデバイス。
【請求項４０】
前記プロセッサは、
前記予約済みアクセスウィンドウについてインジケータを送信することと、ここで、前記プロセッサは、前記インジケータが使用インジケータである場合、１つまたは複数のメッセージを送信する前に前記インジケータを送信し、前記プロセッサは、前記インジケータが不使用インジケータである場合、１つまたは複数のメッセージを送信した後で前記インジケータを送信する、
前記インジケータ、ならびに、前記１つまたは複数のメッセージが前記予約済みアクセスウィンドウに関連づけられたクラスに関連づけられるかどうかに基づいて、１つまたは複数のメッセージを送信するか、または送信することを差し控えることと、
を行うようにさらに構成されている、請求項３９に記載のデバイス。
【請求項４１】
前記プロセッサは、各々が別個の送信クラスに関連づけられた、複数のスタガリングされた予約済みアクセスウィンドウを定義するようにさらに構成される、請求項２２に記載のデバイス。
【請求項４２】
前記プロセッサは、
前記クラスのうちの１つに関連づけられた予め定められた目標待ち時間まで待機することと、
前記予め定められた目標待ち時間の後に前記ワイヤレス媒体のアイドル状態を決定することと、
前記アイドル状態に基づいて前記クラスに関連づけられたメッセージの送信をスケジュールすることと、
を行うようにさらに構成された、請求項２２に記載のデバイス。
【請求項４３】
ワイヤレス通信のためのアクセスポイントであって、
１つまたは複数のワイヤレスデバイスからの互換性のある送信の１つまたは複数のクラスを決定するための手段と、
前記１つまたは複数のクラスの各々についてスケジュールされたタイムスロットを定義するための手段と、
前記スケジュールされたタイムスロットの各々に関連づけられたチャネルアクセスプロシージャを定義するための手段と、
互換性のある送信の前記１つまたは複数のクラスの各々についての前記スケジュールされたタイムスロットを、別のアクセスポイントと同期させるための手段と、
前記チャネルアクセスプロシージャにしたがって、関連づけられたスケジュールされたタイムスロットの間にワイヤレス媒体にアクセスするための手段と、
を備える、アクセスポイント。
【請求項４４】
非一時的コンピュータ可読媒体であって、１つまたは複数のプロセッサ上で実行されたときに、
１つまたは複数のワイヤレスデバイスからの互換性のある送信の１つまたは複数のクラスを決定することと、
前記１つまたは複数のクラスの各々について、スケジュールされたタイムスロットを定義することと、
前記スケジュールされたタイムスロットの各々に関連づけられたチャネルアクセスプロシージャを定義することと、
互換性のある送信の前記１つまたは複数のクラスの各々についての前記スケジュールされたタイムスロットを、別のアクセスポイントと同期させることと、
前記チャネルアクセスプロシージャにしたがって、関連づけられたスケジュールされたタイムスロットの間にワイヤレス媒体にアクセスすることと、
をアクセスポイントに実行させるコードを備えた、非一時的コンピュータ可読媒体。
【請求項４５】
互換性のある送信の前記１つまたは複数のクラスの各々についての前記スケジュールされたタイムスロットを別のアクセスポイントと同期させることは、前記別のアクセスポイントから、送信の前記クラスについてのタイムスロットのインジケーションを受信することと、示された前記タイムスロットの間に前記クラスを送信することとを備える、請求項１に記載の方法。
【請求項４６】
前記アクセスポイントによって、前記別のアクセスポイントからビーコンを受信することをさらに備え、前記ビーコンは、前記別のアクセスポイントからの送信の前記クラスについてのタイムスロットの前記インジケーションを提供する、請求項４５に記載の方法。
【請求項４７】
前記アクセスポイントによって、前記スケジュールされたタイムスロットの各々に関連づけられたチャネルアクセスプロシージャを定義することは、異なるスケジュールされたタイムスロットについて異なるクリアチャネルアセスメントバックオフ期間を定義することを備える、請求項１に記載の方法。
【手続補正２】
【補正対象書類名】明細書
【補正対象項目名】０１３８
【補正方法】変更
【補正の内容】
【０１３８】
[00151]  上記は、本開示の諸態様を対象としたものであるが、本開示の基本的な範囲から逸脱することなく、本開示の他の態様およびさらなる態様が考案され得、本開示の範囲は、以下の特許請求の範囲によって決定される。
以下に、本願の出願当初の特許請求の範囲に記載された発明を付記する。
［Ｃ１］
ワイヤレス通信の方法であって、
１つまたは複数のワイヤレスデバイスからの互換性のある送信の１つまたは複数のクラスを決定することと、
前記１つまたは複数のクラスの各々について、スケジュールされたタイムスロットを定義することと、
前記スケジュールされたタイムスロットの各々に関連づけられたチャネルアクセスプロシージャを定義することと、
前記ワイヤレスデバイスの１つまたは複数によって、前記チャネルアクセスプロシージャにしたがって、関連づけられたスケジュールされたタイムスロットの間にワイヤレス媒体にアクセスすることと、
を備える方法。
［Ｃ２］
前記クラスは、アクセスポイントからクライアント局へのダウンリンク送信、またはクライアント局からアクセスポイントへのアップリンク送信のうちの１つまたは複数を備える、Ｃ１に記載の方法。
［Ｃ３］
前記クラスのうちの１つは、同時並行して正しく受信されることができる送信を備える、Ｃ１に記載の方法。
［Ｃ４］
前記１つまたは複数のクラスを決定することが、関連づけられた局からの受信情報であって、前記情報はワイヤレスデバイス干渉のレベルもしくはネットワークトポロジーのうちの１つまたは複数に関係する情報、ビーコンにおけるクラス定義のブロードキャスト、およびアソシエーション応答フレームのうちの１つまたは複数に基づく、Ｃ１に記載の方法。
［Ｃ５］
前記ワイヤレス媒体が１つまたは複数のチャネルを備え、前記方法は、同じチャネル上で前記１つまたは複数のクラスの前記互換性のある送信を送信することをさらに備える、Ｃ１に記載の方法。
［Ｃ６］
前記スケジュールされたタイムスロットを定義することは、周期的パターンでインデックスを付けられた時間の間隔を定義することを備える、Ｃ１に記載の方法。
［Ｃ７］
前記チャネルアクセスプロシージャを定義することは、前記関連づけられたスケジュールされたタイムスロットの間に同時並行の送信を許可すべきかまたは制限すべきかを決定することを備える、Ｃ１に記載の方法。
［Ｃ８］
同時並行の送信を許可すべきかまたは制限すべきかの前記決定は、関連づけられたワイヤレスデバイスのロケーションに基づく、Ｃ７に記載の方法。
［Ｃ９］
前記関連づけられたワイヤレスデバイスが基本サービスエリアのエッジまたはその近くに位置する場合、前記関連づけられたスケジュールされたタイムスロットの間の同時並行の送信を制限すると決定することと、
前記関連づけられたワイヤレスデバイスが基本サービスエリアの中心またはその近くに位置する場合、前記関連づけられたスケジュールされたタイムスロットの間の同時並行の送信を許可すると決定することと、
をさらに備える、Ｃ８に記載の方法。
［Ｃ１０］
前記ワイヤレス媒体にアクセスすることが、前記関連づけられたスケジュールされたタイムスロットの間にクリアチャネルアセスメントプロシージャを実施することを備え、前記方法は、前記クリアチャネルアセスメントの結果に基づいて、送信のための少なくとも１つのメッセージを選択的にスケジュールするか、またはスケジュールすることを差し控えることをさらに備える、Ｃ１に記載の方法。
［Ｃ１１］
前記クリアチャネルアセスメントプロシージャの実施が、前記関連づけられたスケジュールされたタイムスロットの始まりにおいて開始し、前記方法が、前記スケジュールされたタイムスロットに関連づけられたバックオフ値にしたがってバックオフプロシージャを実施することをさらに備え、前記バックオフ値は、前記関連づけられたスケジュールされたタイムスロットの前記始まりにおいて第１の値に初期化され、前記バックオフ値は、関連づけられたチャネルがアイドルであると評価される間、デクリメントされる、Ｃ１０に記載の方法。
［Ｃ１２］
前記第１の値は、ランダムであるか、または、前記スケジュールされたタイムスロットに関連づけられたクラスのファンクション、もしくは前記関連づけられたクラスに割り当てられた以前のスケジュールされたタイムスロットに関連づけられた以前のバックオフ値の残分の値のうちの１つまたは複数に基づく、Ｃ１１に記載の方法。
［Ｃ１３］
前記ワイヤレス媒体にアクセスすることが、
前記関連づけられたスケジュールされたタイムスロットの第１のフレームにおいてクリアチャネルアセスメントプロシージャを実施することと、
前記関連づけられたスケジュールされたタイムスロットの第２のフレームにおいて送信準備完了フレームを送信することと、
前記関連づけられたスケジュールされたタイムスロットの第３のフレームにおいて送信可フレームを受信することと、
前記クリアチャネルアセスメント、前記送信準備完了フレーム、および前記送信可フレームのうちの１つまたは複数の結果に基づいて、送信のために少なくとも１つのメッセージを選択的にスケジュールするか、またはスケジュールすることを差し控えることと、
を備える、Ｃ１に記載の方法。
［Ｃ１４］
前記ワイヤレス媒体にアクセスすることが、前記関連づけられたスケジュールされたタイムスロットの間に送信準備完了フレームまたは送信可フレームを受信することを備え、該方法は、前記受信に基づいて、少なくとも１つの送信をスケジュールするか、またはスケジュールすることを差し控えることをさらに備える、Ｃ１に記載の方法。
［Ｃ１５］
前記スケジュールされたタイムスロットの各々の間に、前記スケジュールされたタイムスロットに関連づけられたクラスに関連づけられているメッセージだけの送信を開始することと、
前記スケジュールされたタイムスロットの間に前記スケジュールされたタイムスロットに関連づけられていないクラスに関連づけられているメッセージの送信を開始することを差し控えることと、
をさらに備える、Ｃ１に記載の方法。
［Ｃ１６］
前記スケジュールされたタイムスロットの各々が、１つのポイント協調機能インターフレームスペースに等しい長さを備える、Ｃ１に記載の方法。
［Ｃ１７］
複数のバックオフ期間を定義することをさらに備え、各バックオフ期間は、互換性のある送信のクラスのうちの少なくとも１つに関連づけられ、ここで、前記チャネルアクセスプロシージャを定義することは、前記バックオフ期間のうちの１つまたは複数の比較に基づいて互換性のある送信の優先クラスを決定することを備え、前記ワイヤレス媒体にアクセスすることは、前記比較に基づいて前記優先クラスに関連づけられているメッセージの送信を開始するまたは再開することを備える、Ｃ１に記載の方法。
［Ｃ１８］
前記スケジュールされたタイムスロットの１つまたは複数の間に予約済みアクセスウィンドウを定義することと、ここで、前記予約済みアクセスウィンドウは、互換性のある送信のクラスのうちの少なくとも１つに関連づけられる、
前記予約済みアクセスウィンドウの間に、前記予約済みアクセスウィンドウに関連づけられたクラスに関連づけられているメッセージだけの送信を開始すること、または、前記予約済みアクセスウィンドウに関連づけられたクラスに関連づけられていないメッセージの送信を開始することを差し控えることと、
をさらに備える、Ｃ１に記載の方法。
［Ｃ１９］
前記予約済みアクセスウィンドウについてのインジケータを送信することと、ここで、前記送信することは、前記インジケータが使用インジケータである場合、１つまたは複数のメッセージを送信する前に行なわれ、前記送信することは、前記インジケータが不使用インジケータである場合、１つまたは複数のメッセージを送信した後に行われる、
前記インジケータ、および、前記１つまたは複数のメッセージが前記予約済みアクセスウィンドウに関連づけられたクラスに関連するかどうかに基づいて、１つまたは複数のメッセージを送信するか、または送信することを差し控えることと、
をさらに備える、Ｃ１８に記載の方法。
［Ｃ２０］
各々が別個の送信クラスに関連づけられた、複数のスタガリングされた予約済みアクセスウィンドウを定義することをさらに備える、Ｃ１に記載の方法。
［Ｃ２１］
前記クラスのうちの１つに関連づけられた予め定められた目標待ち時間まで待機することと、
前記予め定められた目標待ち時間の後に前記ワイヤレス媒体のアイドル状態を決定することと、
前記アイドル状態に基づいて前記クラスに関連づけられたメッセージを送信することと、をさらに備える、Ｃ１に記載の方法。
［Ｃ２２］
ワイヤレス通信のために構成されたデバイスであって、
１つまたは複数のワイヤレスデバイスからの互換性のある送信の１つまたは複数のクラスを決定することと、
前記１つまたは複数のクラスの各々について、スケジュールされたタイムスロットを定義することと、
前記スケジュールされたタイムスロットの各々に関連づけられたチャネルアクセスプロシージャを定義することと、
前記ワイヤレスデバイスの１つまたは複数によって、前記チャネルアクセスプロシージャにしたがって、関連づけられたスケジュールされたタイムスロットの間にワイヤレス媒体にアクセスすることと、
を行うように構成されたプロセッサを備える、デバイス。
［Ｃ２３］
前記クラスは、アクセスポイントからクライアント局へのダウンリンク送信、またはクライアント局からアクセスポイントへのアップリンク送信のうちの１つまたは複数を備える、Ｃ２２に記載のデバイス。
［Ｃ２４］
前記クラスのうちの１つは、同時並行して正しく受信されることができる送信を備える、Ｃ２２に記載のデバイス。
［Ｃ２５］
前記プロセッサは、関連づけられた局からの受信情報であって、前記情報はワイヤレスデバイス干渉のレベルもしくはネットワークトポロジーのうちの１つまたは複数に関係する情報、ビーコンにおけるクラス定義のブロードキャスト、およびアソシエーション応答フレームのうちの１つまたは複数に基づいて、前記１つまたは複数のクラスを決定する、Ｃ２２に記載のデバイス。
［Ｃ２６］
前記ワイヤレス媒体が１つまたは複数のチャネルを備え、前記プロセッサは、同じチャネル上で前記１つまたは複数のクラスの前記互換性のある送信を送信するようにさらに構成される、Ｃ２２に記載のデバイス。
［Ｃ２７］
前記プロセッサは、周期的なパターンでインデックスを付けられた時間の間隔を定義するようにさらに構成されていることに基づいて、前記スケジュールされたタイムスロットを定義する、Ｃ２２に記載のデバイス。
［Ｃ２８］
前記プロセッサは、前記関連づけられたスケジュールされたタイムスロットの間の同時並行の送信を許可すべきかまたは制限すべきかを決定するようにさらに構成されていることに基づいて、前記チャネルアクセスプロシージャを定義する、Ｃ２２に記載のデバイス。
［Ｃ２９］
前記プロセッサは、関連づけられたワイヤレスデバイスのロケーションに基づいた同時並行の送信を許可すべきかまたは制限すべきかを決定する、Ｃ２８に記載のデバイス。
［Ｃ３０］
前記プロセッサは、
前記関連づけられたワイヤレスデバイスが基本サービスエリアのエッジまたはその近くに位置する場合、前記関連づけられたスケジュールされたタイムスロットの間の同時並行の送信を制限すると決定することと、
前記関連づけられたワイヤレスデバイスが基本サービスエリアの中心またはその近くに位置する場合、前記関連づけられたスケジュールされたタイムスロットの間の同時並行の送信を許可すると決定することと、
を行うようにさらに構成された、Ｃ２９に記載のデバイス。
［Ｃ３１］
前記プロセッサは、
前記関連づけられたスケジュールされたタイムスロットの間にクリアチャネルアセスメントプロシージャを実施することに基づいて前記ワイヤレス媒体にアクセスすることと、
前記クリアチャネルアセスメントの結果に基づいて、送信のために少なくとも１つのメッセージを選択的にスケジュールするか、またはスケジュールすることを差し控えることと、
を行うようにさらに構成された、Ｃ２２に記載のデバイス。
［Ｃ３２］
前記プロセッサは、
前記関連づけられたスケジュールされたタイムスロットの始まりにおいて前記クリアチャネルアセスメントの前記実施を開始することと、
前記スケジュールされたタイムスロットに関連づけられたバックオフ値にしたがってバックオフプロシージャを実施することと、ここで、前記バックオフ値は、前記関連づけられたスケジュールされたタイムスロットの前記始まりにおいて第１の値に初期化され、前記バックオフ値は、関連づけられたチャネルがアイドルであると評価される間、デクリメントされる、
を行うようにさらに構成される、Ｃ３１に記載のデバイス。
［Ｃ３３］
前記第１の値は、ランダムであるか、または、前記スケジュールされたタイムスロットに関連づけられたクラスのファンクション、もしくは前記関連づけられたクラスに割り当てられた以前のスケジュールされたタイムスロットに関連づけられた以前のバックオフ値の残分の値のうちの１つまたは複数に基づく、Ｃ３２に記載のデバイス。
［Ｃ３４］
前記プロセッサは、
前記関連づけられたスケジュールされたタイムスロットの第１のフレームにおいてクリアチャネルアセスメントプロシージャを実施することと、
前記関連づけられたスケジュールされたタイムスロットの第２のフレームにおいて送信準備完了フレームを送信することと、
前記関連づけられたスケジュールされたタイムスロットの第３のフレームにおいて送信可フレームを受信することと、
前記クリアチャネルアセスメント、前記送信準備完了フレーム、および前記送信可フレームのうちの１つまたは複数の結果に基づいて、送信のために少なくとも１つのメッセージを選択的にスケジュールするか、またはスケジュールすることを差し控えることと、
を行うようにさらに構成されていることに基づいて前記ワイヤレス媒体にアクセスする、
Ｃ２２に記載のデバイス。
［Ｃ３５］
前記プロセッサは、
前記関連づけられたスケジュールされたタイムスロットの間に送信準備完了フレームまたは送信可フレームを受信することと、
前記受信に基づいて、少なくとも１つの送信をスケジュールするか、またはスケジュールすることを差し控えることと、
を行うようにさらに構成されていることに基づいて前記ワイヤレス媒体にアクセスする、
Ｃ２２に記載のデバイス。
［Ｃ３６］
前記プロセッサは、
前記スケジュールされたタイムスロットの各々の間に、前記スケジュールされたタイムスロットに関連づけられたクラスに関連づけられているメッセージだけの送信を開始することと、
前記スケジュールされたタイムスロットの間に前記スケジュールされたタイムスロットに関連づけられていないクラスに関連づけられているメッセージの送信を開始することを差し控えることと、
を行うようにさらに構成される、Ｃ２２に記載のデバイス。
［Ｃ３７］
前記スケジュールされたタイムスロットの各々が、１つのポイント協調機能インターフレームスペースに等しい長さを備える、Ｃ２２に記載のデバイス。
［Ｃ３８］
前記プロセッサは、複数のバックオフ期間を定義するようにさらに構成され、各バックオフ期間は、互換性のある送信の前記クラスのうちの少なくとも１つに関連づけられ、前記プロセッサは、前記バックオフ期間のうちの１つまたは複数の比較に基づいて互換性のある送信の優先クラスを決定するようにさらに構成されていることに基づいて前記チャネルアクセスプロシージャを定義し、前記プロセッサは、前記比較に基づいて前記優先クラスに関連づけられているメッセージの送信を開始するまたは再開するようにさらに構成されていることに基づいて前記ワイヤレス媒体にアクセスする、Ｃ２２に記載のデバイス。
［Ｃ３９］
前記プロセッサは、
前記スケジュールされたタイムスロットのうちの１つまたは複数の間に予約済みアクセスウィンドウを定義することと、ここで、前記予約済みアクセスウィンドウは、互換性のある送信の前記クラスのうちの少なくとも１つに関連づけられる、
前記予約済みアクセスウィンドウの間に、前記予約済みアクセスウィンドウに関連づけられたクラスに関連づけられているメッセージだけの送信を開始する、あるいは、前記予約済みアクセスウィンドウに関連づけられた前記クラスに関連づけられていないメッセージの送信を開始することを差し控えることと、
を行うようにさらに構成された、Ｃ２２に記載のデバイス。
［Ｃ４０］
前記プロセッサは、
前記予約済みアクセスウィンドウについてインジケータを送信することと、ここで、前記プロセッサは、前記インジケータが使用インジケータである場合、１つまたは複数のメッセージを送信する前に前記インジケータを送信し、前記プロセッサは、前記インジケータが不使用インジケータである場合、１つまたは複数のメッセージを送信した後で前記インジケータを送信する、
前記インジケータ、ならびに、前記１つまたは複数のメッセージが前記予約済みアクセスウィンドウに関連づけられたクラスに関連づけられるかどうかに基づいて、１つまたは複数のメッセージを送信するか、または送信することを差し控えることと、
を行うようにさらに構成されている、Ｃ３９に記載のデバイス。
［Ｃ４１］
前記プロセッサは、各々が別個の送信クラスに関連づけられた、複数のスタガリングされた予約済みアクセスウィンドウを定義するようにさらに構成される、Ｃ２２に記載のデバイス。
［Ｃ４２］
前記プロセッサは、
前記クラスのうちの１つに関連づけられた予め定められた目標待ち時間まで待機することと、
前記予め定められた目標待ち時間の後に前記ワイヤレス媒体のアイドル状態を決定することと、
前記アイドル状態に基づいて前記クラスに関連づけられたメッセージを送信することと、
を行うようにさらに構成された、Ｃ２２に記載のデバイス。
［Ｃ４３］
ワイヤレス通信のための装置であって、
１つまたは複数のワイヤレスデバイスからの互換性のある送信の１つまたは複数のクラスを決定するための手段と、
前記１つまたは複数のクラスの各々についてスケジュールされたタイムスロットを定義するための手段と、
前記スケジュールされたタイムスロットの各々に関連づけられたチャネルアクセスプロシージャを定義するための手段と、
前記ワイヤレスデバイスの１つまたは複数によって、前記チャネルアクセスプロシージャにしたがって、関連づけられたスケジュールされたタイムスロットの間にワイヤレス媒体にアクセスするための手段と、
を備える、装置。
［Ｃ４４］
非一時的コンピュータ可読媒体であって、１つまたは複数のプロセッサ上で実行されたときに、
１つまたは複数のワイヤレスデバイスからの互換性のある送信の１つまたは複数のクラスを決定することと、
前記１つまたは複数のクラスの各々について、スケジュールされたタイムスロットを定義することと、
前記スケジュールされたタイムスロットの各々に関連づけられたチャネルアクセスプロシージャを定義することと、
前記ワイヤレスデバイスの１つまたは複数によって、前記チャネルアクセスプロシージャにしたがって、関連づけられたスケジュールされたタイムスロットの間にワイヤレス媒体にアクセスすることと、
を装置に実行させるコードを備えた、非一時的コンピュータ可読媒体。